(57)【要約】【課題】  動画データの動画の中身、内容を簡易、且つ、迅速に知ることができる動画再生装置及びそのプログラムを実現する。【解決手段】  フラッシュメモリ１１に記録されている複数の動画データに対応するそれぞれの静止画像データを画像表示部１０にインデックス一覧表示させる（Ｓ２）。そして、ユーザのキー入力部１５の操作により一覧表示された静止画像データが選択されたと判断すると(Ｓ３でＹ)、ユーザによって選択された静止画像データに対応する動画データの選択を行う（Ｓ４）。そして、ユーザが一覧再生キーの操作を行うと（Ｓ５でＹ）、インデックス一覧表示をしている状態で、選択された静止画像データが表示されていた場所に該選択された動画データの動画の再生表示を行い（Ｓ６）、ユーザによりチャプター一覧表示キーの操作が行われたと判断すると（Ｓ７でＹ）、該選択している動画データのチャプター画像の一覧表示を行う（Ｓ１３）。【選択図】  図３
2006165679.tif 000002
【特許請求の範囲】
【請求項１】
記録手段に記録されている複数の動画データに対応するそれぞれの静止画像データを表示手段に一覧表示させる第１の表示制御手段と、
ユーザが前記第１の表示制御手段により前記表示手段に一覧表示された静止画像データのうち任意の静止画像データを選択するための第１の選択手段と、
前記第１の選択手段により選択された静止画像データに対応する動画データのチャプター画像を前記表示手段に一覧表示させる第２の表示制御手段と、
を備えたことを特徴とする動画再生装置。
【請求項２】
ユーザが動画データの一覧表示を指示するための第１の指示手段を備え、
前記第１の表示制御手段は、
前記第１の指示手段により動画データの一覧表示の指示があった場合、記録手段に記録されている複数の動画データに対応するそれぞれの静止画像データを表示手段に一覧表示させることを特徴とする請求項１記載の動画再生装置。
【請求項３】
ユーザが前記第１の選択手段により選択した静止画像データに対応する動画データのチャプター一覧表示を指示するための第２の指示手段を備え、
前記第２の表示制御手段は、
前記第２の指示手段により動画データのチャプター一覧表示が指示された場合、前記第１の選択手段により選択された静止画像データに対応する動画データのチャプター画像を前記表示手段に一覧表示させることを特徴とする請求項１又は２記載の動画再生装置。
【請求項４】
動画データから静止画像データを生成する生成手段を備え、
前記第１の表示制御手段は、
前記生成手段により前記記録手段により記録された複数の動画データからそれぞれ生成された静止画像データを前記表示手段に一覧表示させることを特徴とする請求項１乃至３の何れかに記載の動画再生装置。
【請求項５】
前記生成手段は、
動画データの１つの動画フレームデータを縮小して静止画像データを生成することを特徴とする請求項４記載の動画再生装置。
【請求項６】
前記第１の表示制御手段は、
動画データに関連付けられて前記記録手段に記録されているサムネイル画像を前記表示制御手段に一覧表示させることを特徴とする請求項１乃至３の何れかに記載の動画再生装置。
【請求項７】
前記第１の選択手段により選択された静止画像データに対応する動画データを、前記第１の表示制御手段による一覧表示がされている状態で再生表示する第１の動画再生手段を備えたことを特徴とする請求項１乃至６の何れかに記載の動画再生装置。
【請求項８】
ユーザが前記第１の選択手段により選択した静止画像データに対応する動画データの、前記第１の表示制御手段による一覧表示がされている状態での再生表示を指示するための第３の指示手段を備え、
前記第１の動画再生手段は、
前記第３の指示手段により動画データの再生表示が指示された場合、前記第１の選択手段により選択された静止画像データに対応する動画データを、前記第１の表示制御手段による一覧表示がされている状態で再生表示することを特徴とする請求項７記載の動画再生装置。
【請求項９】
前記第１の動画再生手段は、
前記第１の選択手段により選択された静止画像データに対応する動画データの動画フレームデータを縮小して前記表示手段に表示させることにより動画の再生表示を行うことを特徴とする請求項７又は８記載の動画再生装置。
【請求項１０】
前記第１の動画再生手段は、
前記第１の選択手段により選択された静止画像に対応する動画データを、所定間隔毎にスキップさせながら動画の再生表示を行うことを特徴とする請求項７乃至９の何れかに記載の動画再生装置。
【請求項１１】
前記第１の動画再生手段は、
前記第１の選択手段により選択された静止画像に対応する動画データを、チャプター毎にスキップさせながら所定時間表示させることを特徴とする請求項１０記載の動画再生装置。
【請求項１２】
前記第２の表示制御手段は、
前記第１の選択手段により選択された静止画像データに対応する動画データの各チャプターに対応する動画フレームデータを縮小して前記表示手段に一覧表示させることを特徴とする請求項１乃至１１の何れかに記載の動画再生装置。
【請求項１３】
前記第２の表示制御手段は、
前記第１の選択手段により選択された静止画像データに対応する動画データの中の各チャプターに対応する動画データの最初の動画フレームデータを縮小して前記表示手段に一覧表示させることを特徴とする請求項１２記載の動画再生装置。
【請求項１４】
ユーザが前記第２の表示制御手段により前記表示手段に一覧表示されたチャプター画像のうち任意のチャプター画像を選択するための第２の選択手段と、
前記第１の選択手段により選択された静止画像データに対応する動画データの中で、前記第２の選択手段により選択されたチャプター画像の属するチャプターに対応する動画データを、前記第２の表示制御手段による一覧表示がされている状態で再生することを第２の動画再生手段と、
を備えたことを特徴とする請求項１乃至１３の何れかに記載の動画再生装置。
【請求項１５】
ユーザが前記第２の選択手段により選択されたチャプター画像の属するチャプターに対応する動画データの、前記第２の動画再生手段による再生を指示するための第４の指示手段を備え、
前記第２の動画再生手段は、
前記第４の指示手段により動画データの再生表示が指示された場合、前記第２の選択手段により選択されたチャプター画像の属するチャプターに対応する動画データを、前記第２の表示制御手段による一覧表示がされている状態で再生することを特徴とする請求項１４記載の動画再生装置。
【請求項１６】
前記第２の動画再生手段は、
前記第１の選択手段により選択された静止画像データに対応する動画データの中で、前記第２の選択手段により選択されたチャプター画像の属するチャプターに対応する動画データの動画フレームデータを縮小して前記表示手段に表示させることを特徴とする請求項１４又は１５記載の動画再生装置。
【請求項１７】
前記第２の動画再生手段は、
前記第２の選択手段により選択されたチャプター画像の属するチャプターに対応する動画データを、所定間隔毎にスキップさせながら動画の再生表示を行うことを特徴とする請求項１４乃至１６の何れかに記載の動画再生装置。
【請求項１８】
ユーザが動画再生を指示するための第５の指示手段と、
前記第５の指示手段により動画再生の指示が行われた場合は、前記第１の選択手段により選択された静止画像データに対応する動画データのみを前記表示手段に表示させて動画の再生を行う第３の動画再生手段と、
を備えたことを特徴とする請求項１乃至１７の何れかに記載の動画再生装置。
【請求項１９】
前記第３の動画再生手段は、
前記第１の動画再生手段により再生されている動画データを再生する場合には、前記第１の動画再生手段により既に再生された動画フレームデータ以降の動画フレームデータから再生することを特徴とする請求項１８記載の動画再生装置。
【請求項２０】
前記第３の動画再生手段は、
前記第２の選択手段により選択されたチャプター画像の属するチャプターに対応する動画データから再生することを特徴とする請求項１８又は１９記載の動画再生装置。
【請求項２１】
前記第３の動画再生手段は、
前記第２の動画再生手段により前記第２の選択手段により選択されたチャプター画像の属するチャプターに対応する動画データを再生している場合は、該再生していたチャプターに対応する動画データの途中から再生することを特徴とする請求項２０記載の動画再生装置。
【請求項２２】
記録手段に記録されている複数の動画データに対応する静止画像データを表示手段に一覧表示させる表示制御手段と、
ユーザが前記表示制御手段に一覧表示された静止画像データのうち任意の静止画像データを選択するための選択手段と、
前記表示手段による一覧表示がされている状態で、前記選択手段により選択された静止画像データに対応する動画データを、所定間隔毎にスキップさせながら再生表示を行う動画再生手段と、
を備えたことを特徴とする動画再生装置。
【請求項２３】
前記動画再生手段は、
前記選択手段により選択された静止画像データに対応する動画データを、チャプター毎にスキップさせながら所定時間表示させることを特徴とする請求項２２記載の動画再生装置。
【請求項２４】
記録手段に記録されている動画データのチャプター画像を表示手段に一覧表示させる表示制御手段と、
ユーザが前記表示手段に表示されたチャプター画像のうち任意のチャプター画像を選択するための選択手段と、
前記表示制御手段による動画データのチャプター画像の一覧表示がされている状態で、前記選択手段により選択されたチャプター画像の属するチャプターに対応する動画データを、所定間隔毎にスキップさせながら動画の再生表示を行う動画再生手段と、
を備えたことを特徴とする動画再生装置。
【請求項２５】
記録媒体に記録されている複数の動画データに対応するそれぞれの静止画像データを表示部に一覧表示させる処理と、
この処理により前記表示部に一覧表示された静止画像データの中からユーザによって任意に選択された静止画像データを選択する処理と、
この処理により選択した静止画像データに対応する動画データのチャプター画像を前記表示部に一覧表示させる処理と、
を含み、上記各処理をコンピュータで実行させることを特徴とするプログラム。
【発明の詳細な説明】
【技術分野】
【０００１】
本発明は、動画再生装置及びそのプログラムに係り、詳しくは、動画データの動画の中身、内容を簡易、且つ、迅速に知ることができる動画再生装置及びそのプログラムに関する。
【背景技術】
【０００２】
従来、動画再生装置、例えば、デジタルカメラにおいては、記録媒体に記録された複数の動画データのサムネイル画像をモニタに一覧表示させて、ユーザにより一覧表示されたサムネイル画像が選択されると、該選択されたサムネイル画像に対応する動画データを記録媒体から読み出して、モニタの画面いっぱいに動画を表示させていた。
【０００３】
また、下記特許公開公報には、動画再生装置及び動画再生方法なる発明が開示されている。詳しくは、操作キー２４を構成するメニューキー２４ａを押下すると、サムネイルデータに基づいて複数のサムネイルをマルチ表示させるメニュー画面がモニタ装置５０に表示され、この画面上の任意のサムネイルを選択すると、該選択されたサムネイルに対応する圧縮動画像データに基づいて、モニタ装置５０に縮小動画像を表示することにより、圧縮動画像の内容を確認することができ、圧縮動画像データの誤消去を防止することができる動画再生装置及び動画再生方法なるものが記載されている。
【０００４】
【特許文献１】公開特許公報  特開２００３−２４４６５２（段落「００５１」〜段落「００６６」参照）
【発明の開示】
【発明が解決しようとする課題】
【０００５】
しかしながら、従来の動画再生装置にあっては、記録媒体に記録されている動画データのサムネイル画像等の静止画像が一覧表示されるだけであって、その静止画像から動画データの動画の内容、中身などを詳細に認識することができないという問題点があった。
また、動画の内容を知りたい場合には、わざわざ動画の再生処理を行わなければならないため、手間と時間がかかり面倒であるという問題点もあった。
また、上記した特許文献に記載の技術によれば、動画データの動画の内容、中身を知ることができるが、選択されたサムネイルに対応する動画像データのみを縮小してモニタに表示させるため、動画の内容を迅速に知ることができるものではなかった。
【０００６】
そこで本発明は、かかる従来の問題点に鑑みてなされたものであり、動画データの動画の中身、内容を簡易、且つ、迅速に知ることができる動画再生装置及びそのプログラムを提供することを目的とする。
【課題を解決するための手段】
【０００７】
上記目的達成のため、請求項１記載の発明による動画再生装置は、記録手段に記録されている複数の動画データに対応するそれぞれの静止画像データを表示手段に一覧表示させる第１の表示制御手段と、
ユーザが前記第１の表示制御手段により前記表示手段に一覧表示された静止画像データのうち任意の静止画像データを選択するための第１の選択手段と、
前記第１の選択手段により選択された静止画像データに対応する動画データのチャプター画像を前記表示手段に一覧表示させる第２の表示制御手段と、
を備えたことを特徴とする。
【０００８】
また、例えば、請求項２に記載されているように、ユーザが動画データの一覧表示を指示するための第１の指示手段を備え、
前記第１の表示制御手段は、
前記第１の指示手段により動画データの一覧表示の指示があった場合、記録手段に記録されている複数の動画データに対応するそれぞれの静止画像データを表示手段に一覧表示させるようにしてもよい。
【０００９】
また、例えば、請求項３に記載されているように、ユーザが前記第１の選択手段により選択した静止画像データに対応する動画データのチャプター一覧表示を指示するための第２の指示手段を備え、
前記第２の表示制御手段は、
前記第２の指示手段により動画データのチャプター一覧表示が指示された場合、前記第１の選択手段により選択された静止画像データに対応する動画データのチャプター画像を前記表示手段に一覧表示させるようにしてもよい。
【００１０】
また、例えば、請求項４に記載されているように、動画データから静止画像データを生成する生成手段を備え、
前記第１の表示制御手段は、
前記生成手段により前記記録手段により記録された複数の動画データからそれぞれ生成された静止画像データを前記表示手段に一覧表示させるようにしてもよい。
【００１１】
また、例えば、請求項５に記載されているように、前記生成手段は、
動画データの１つの動画フレームデータを縮小して静止画像データを生成するようにしてもよい。
【００１２】
また、例えば、請求項６に記載されているように、前記第１の表示制御手段は、
動画データに関連付けられて前記記録手段に記録されているサムネイル画像を前記表示制御手段に一覧表示させるようにしてもよい。
【００１３】
また、例えば、請求項７に記載されているように、前記第１の選択手段により選択された静止画像データに対応する動画データを、前記第１の表示制御手段による一覧表示がされている状態で再生表示する第１の動画再生手段を備えるようにしてもよい。
【００１４】
また、例えば、請求項８に記載されているように、ユーザが前記第１の選択手段により選択した静止画像データに対応する動画データの、前記第１の表示制御手段による一覧表示がされている状態での再生表示を指示するための第３の指示手段を備え、
前記第１の動画再生手段は、
前記第３の指示手段により動画データの再生表示が指示された場合、前記第１の選択手段により選択された静止画像データに対応する動画データを、前記第１の表示制御手段による一覧表示がされている状態で再生表示するようにしてもよい。
【００１５】
また、例えば、請求項９に記載されているように、前記第１の動画再生手段は、
前記第１の選択手段により選択された静止画像データに対応する動画データの動画フレームデータを縮小して前記表示手段に表示させることにより動画の再生表示を行うようにしてもよい。
【００１６】
また、例えば、請求項１０に記載されているように、前記第１の動画再生手段は、
前記第１の選択手段により選択された静止画像に対応する動画データを、所定間隔毎にスキップさせながら動画の再生表示を行うようにしてもよい。
【００１７】
また、例えば、請求項１１に記載されているように、前記第１の動画再生手段は、
前記第１の選択手段により選択された静止画像に対応する動画データを、チャプター毎にスキップさせながら所定時間表示させるようにしてもよい。
【００１８】
また、例えば、請求項１２に記載されているように、前記第２の表示制御手段は、
前記第１の選択手段により選択された静止画像データに対応する動画データの各チャプターに対応する動画フレームデータを縮小して前記表示手段に一覧表示させるようにしてもよい。
【００１９】
また、例えば、請求項１３に記載されているように、前記第２の表示制御手段は、
前記第１の選択手段により選択された静止画像データに対応する動画データの中の各チャプターに対応する動画データの最初の動画フレームデータを縮小して前記表示手段に一覧表示させるようにしてもよい。
【００２０】
また、例えば、請求項１４に記載されているように、ユーザが前記第２の表示制御手段により前記表示手段に一覧表示されたチャプター画像のうち任意のチャプター画像を選択するための第２の選択手段と、
前記第１の選択手段により選択された静止画像データに対応する動画データの中で、前記第２の選択手段により選択されたチャプター画像の属するチャプターに対応する動画データを、前記第２の表示制御手段による一覧表示がされている状態で再生することを第２の動画再生手段と、
を備えるようにしてもよい。
【００２１】
また、例えば、請求項１５に記載されているように、ユーザが前記第２の選択手段により選択されたチャプター画像の属するチャプターに対応する動画データの、前記第２の動画再生手段による再生を指示するための第４の指示手段を備え、
前記第２の動画再生手段は、
前記第４の指示手段により動画データの再生表示が指示された場合、前記第２の選択手段により選択されたチャプター画像の属するチャプターに対応する動画データを、前記第２の表示制御手段による一覧表示がされている状態で再生するようにしてもよい。
【００２２】
また、例えば、請求項１６に記載されているように、前記第２の動画再生手段は、
前記第１の選択手段により選択された静止画像データに対応する動画データの中で、前記第２の選択手段により選択されたチャプター画像の属するチャプターに対応する動画データの動画フレームデータを縮小して前記表示手段に表示させるようにしてもよい。
【００２３】
また、例えば、請求項１７に記載されているように、前記第２の動画再生手段は、
前記第２の選択手段により選択されたチャプター画像の属するチャプターに対応する動画データを、所定間隔毎にスキップさせながら動画の再生表示を行うようにしてもよい。
【００２４】
また、例えば、請求項１８に記載されているように、ユーザが動画再生を指示するための第５の指示手段と、
前記第５の指示手段により動画再生の指示が行われた場合は、前記第１の選択手段により選択された静止画像データに対応する動画データのみを前記表示手段に表示させて動画の再生を行う第３の動画再生手段と、
を備えるようにしてもよい。
【００２５】
また、例えば、請求項１９に記載されているように、前記第３の動画再生手段は、
前記第１の動画再生手段により再生されている動画データを再生する場合には、前記第１の動画再生手段により既に再生された動画フレームデータ以降の動画フレームデータから再生するようにしてもよい。
【００２６】
また、例えば、請求項２０に記載されているように、前記第３の動画再生手段は、
前記第２の選択手段により選択されたチャプター画像の属するチャプターに対応する動画データから再生するようにしてもよい。
【００２７】
また、例えば、請求項２１に記載されているように、前記第３の動画再生手段は、
前記第２の動画再生手段により前記第２の選択手段により選択されたチャプター画像の属するチャプターに対応する動画データを再生している場合は、該再生していたチャプターに対応する動画データの途中から再生するようにしてもよい。
【００２８】
上記目的達成のため、請求項２２記載の発明による動画再生装置は、記録手段に記録されている複数の動画データに対応する静止画像データを表示手段に一覧表示させる表示制御手段と、
ユーザが前記表示制御手段に一覧表示された静止画像データのうち任意の静止画像データを選択するための選択手段と、
前記表示手段による一覧表示がされている状態で、前記選択手段により選択された静止画像データに対応する動画データを、所定間隔毎にスキップさせながら再生表示を行う動画再生手段と、
を備えたことを特徴とする。
【００２９】
また、例えば、請求項２３に記載されているように、前記動画再生手段は、
前記選択手段により選択された静止画像データに対応する動画データを、チャプター毎にスキップさせながら所定時間表示させるようにしてもよい。
【００３０】
上記目的達成のため、請求項２４記載の発明による動画再生装置は、記録手段に記録されている動画データのチャプター画像を表示手段に一覧表示させる表示制御手段と、
ユーザが前記表示手段に表示されたチャプター画像のうち任意のチャプター画像を選択するための選択手段と、
前記表示制御手段による動画データのチャプター画像の一覧表示がされている状態で、前記選択手段により選択されたチャプター画像の属するチャプターに対応する動画データを、所定間隔毎にスキップさせながら動画の再生表示を行う動画再生手段と、
を備えたことを特徴とする。
【００３１】
上記目的達成のため、請求項２５記載の発明によるプログラムは、記録媒体に記録されている複数の動画データに対応するそれぞれの静止画像データを表示部に一覧表示させる処理と、
この処理により前記表示部に一覧表示された静止画像データの中からユーザによって任意に選択された静止画像データを選択する処理と、
この処理により選択した静止画像データに対応する動画データのチャプター画像を前記表示部に一覧表示させる処理と、
を含み、上記各処理をコンピュータで実行させることを特徴とする。
【発明の効果】
【００３２】
請求項１記載の発明によれば、記録手段に記録されている複数の動画データに対応するそれぞれの静止画像データを表示手段に一覧表示させ、前記表示制御手段に一覧表示された静止画像データのうち任意にユーザによって選択された静止画像データに対応する動画データのチャプター画像を前記表示手段に一覧表示させるようにしたので、動画データの中身、内容を簡単に知ることができ、自分が探している動画データであるか否かを簡単に見分けることができる。
【００３３】
請求項２記載の発明によれば、ユーザが動画データの一覧表示を指示するための第１の指示手段を備え、該第１の指示手段により動画データの一覧表示の指示があった場合には、記録手段に記録された複数の動画データに対応する静止画像データを表示手段に一覧表示させるようにしたので、ユーザは、記録手段に記録されている動画データの内容をいつでも簡単に知ることができる。
【００３４】
請求項３記載の発明によれば、ユーザが第１の選択手段により選択した静止画像データに対応する動画データのチャプター一覧表示を指示する第２の指示手段を備え、該第２の指示手段により動画データのチャプター一覧表示が指示された場合には、前記第１の選択手段により選択された静止画像データに対応する動画データのチャプター画像を表示手段に一覧表示させるので、ユーザが、選択した動画データの内容を簡単に知ることができ、自分が探している動画データであるか否かを簡単に見分けることができる。
【００３５】
請求項４記載の発明によれば、動画データから静止画像データを生成する生成手段を備え、該生成手段により生成された静止画像データを動画データに対応する静止画像データとして一覧表示させるので、動画データに静止画像データが関連付けられて記録されていない場合でも、生成された静止画像データを見ることにより動画データの内容を知ることができる。
【００３６】
請求項５記載の発明によれば、生成手段は、動画データの１つの動画フレームデータを縮小して静止画像データを生成するので、生成された静止画像データを見ることにより動画データの内容を知ることができる。
【００３７】
請求項６記載の発明によれば、動画データに関連付けられて記録されているサムネイル画像を表示手段に一覧表示させるので、動画データから静止画像データを生成するという処理を軽減することができ、迅速に一覧表示を行うことができる。
【００３８】
請求項７又は９記載の発明によれば、第１の選択手段により選択した静止画像データに対応する動画データを、第１の表示制御手段による一覧表示がされている状態で再生表示するようにしたので、動画データの一覧表示を行っている状態であっても、選択した動画データの中身、内容を簡単、且つ、詳細に知ることができる。
【００３９】
請求項８記載の発明によれば、ユーザが第１の選択手段により選択した静止画像データに対応する動画データの、第１の表示制御手段による一覧表示がされている状態での再生表示を指示する第３の指示手段を備え、該第３の指示手段により再生表示が指示された場合には、前記第１の選択手段により選択された静止画像データに対応する動画データを、前記第１の表示制御手段による一覧表示がされている状態で再生表示するようにしたので、ユーザは、選択した動画データの中身、内容をいつでも簡単、且つ、詳細に知ることができる。
【００４０】
請求項１０記載の発明によれば、動画データの一覧表示を行っている状態で、第１の選択手段により選択された動画データを、所定間隔毎にスキップさせながら動画の再生表示を行うようにしたので、選択した動画データの全体の中身、内容を迅速に知ることができ、自分が探している動画データであるか否かを簡単に知ることができる。
【００４１】
請求項１１記載の発明によれば、動画データの一覧表示を行っている状態で、前記第１の選択手段により選択された動画データを、チャプター毎にスキップさせながら所定時間表示させるので、選択した動画データの全体の中身、内容をより迅速に知ることができ、自分が探している動画データであるか否かを簡単に見分けることができる。
【００４２】
請求項９又は１０記載の発明によれば、第２の表示制御手段は、動画データの各チャプターに対応する動画フレームデータを縮小して表示手段にチャプター画像の一覧表示を行うので、このチャプター画像を見ることにより動画データの内容を詳しく知ることができる。
【００４３】
請求項１４又は１６記載の発明によれば、ユーザが第２の表示制御手段により表示手段に一覧表示されたチャプター画像のうち任意のチャプター画像を選択するための第２の選択手段と、第１の選択手段により選択された静止画像データに対応する動画データの中で、前記第２の選択手段により選択されたチャプター画像の属するチャプターに対応する動画データを、前記第２の表示制御手段による一覧表示がされている状態で再生する第２の動画再生手段と、を備えるようにしたので、動画データの中身、内容をチャプター毎に詳細に知ることができる。また、自分が見たいシーンがどこのチャプターにあるのかを簡単に探すことができる。
【００４４】
請求項１５記載の発明によれば、ユーザが第２の選択手段により選択されたチャプター画像の属するチャプターに対応する動画データの、第２の動画再生手段による再生を指示するための第４の指示手段を備え、該第４の指示手段により動画データの再生表示が指示された場合、第２の選択手段により選択されたチャプター画像の属するチャプターに対応する動画データを、第２の表示制御手段による一覧表示がされている状態で再生するようにしたので、ユーザは、動画データのチャプター毎の中身、内容をいつでも簡単、且つ、詳細に知ることができる。
【００４５】
請求項１７記載の発明によれば、チャプター画像の一覧表示が行われている状態で、第２の選択手段により選択されたチャプター画像の属するチャプターに対応する動画データを、所定間隔毎にスキップさせながら動画の再生表示を行うので、選択したチャプターの全体の中身、内容をより迅速、且つ、詳細に知ることができ、自分が探している動画データであるか否かを簡単に見分けることができる。
【００４６】
請求項１８記載の発明によれば、ユーザが動画再生を指示するための第３の指示手段と、該第３の指示手段により動画再生の指示が行われた場合は、前記第１の選択手段により選択された静止画像データに対応する動画データのみを表示手段に表示させて動画の再生を行う第３の動画再生手段と、を備えるようにしたので、ユーザは所望の動画データが見つかった場合や、動画データを再生してみたい場合に、第３の指示手段により選択した動画データのみを再生することができる。
【００４７】
請求項１９記載の発明によれば、第３の動画再生手段は、第１の動画再生手段により再生している動画データを再生する場合には、前記第１の動画再生手段により既に再生された動画フレームデータ以降の動画フレームデータから再生するようにしたので、既に表示した映像と同じ映像を表示させることがない。
また、動画データの一覧表示状態で再生した映像と同じ映像を再生することはないので、ユーザの感じる煩わしさを回避することができる。
また、動画データの一覧表示状態で動画データの再生をしているときに、ユーザがこのシーンからじっくり見たいと思ったときであっても、そのシーンから第３の動画再生手段による動画の再生表示を行うので、ユーザの要望を満たすことができる。
【００４８】
請求項２０記載の発明によれば、第３の動画再生手段は、第２の選択手段により選択されたチャプター画像の属するチャプターに対応する動画データから再生するようにしたので、見たいチャプターから動画データを再生することができる。
【００４９】
請求項２１記載の発明によれば、第３の動画再生手段は、第２の動画再生手段によりチャプターに対応する動画データを再生していた場合には、該再生していたチャプターに対応する動画データの途中から再生するようにしたので、自分が見たいシーンをチャプター一覧表示時の動画再生により探した場合には、そのシーンから第３の動画再生手段による動画の再生表示を行うので、ユーザの要望を満たすことができる。
【００５０】
請求項２２又は２３記載の発明によれば、表示制御手段による動画データの一覧表示が行われている状態で、選択手段により選択された静止画画像データに対応する動画データを、所定間隔毎にスキップさせるようにしたので、動画データの一覧表示を行っている状態であっても、選択した動画データの中身、内容を簡単に知ることができる。また、所定間隔毎にスキップさせながら動画の再生表示を行うようにしたので、選択した動画データの全体の中身、内容を迅速に知ることができ、自分が探している動画データであるか否かを簡単に知ることができる。
【００５１】
請求項２４記載の発明によれば、表示制御手段による動画データのチャプター画像の一覧表示が行われている状態で、選択手段により選択されたチャプター画像の属するチャプターに対応する動画データを、所定間隔毎にスキップさせながら動画の再生を行うようにしたので、動画データの中身、内容をチャプター毎に詳細に知ることができる。また、自分が見たいシーンがどこのチャプターにあるのかを簡単に探すことができる。また、所定間隔毎にスキップさせながら動画の再生表示を行うので、選択したチャプターの全体の中身、内容をより迅速、且つ、詳細に知ることができ、自分が探している動画データであるか否かを簡単に見分けることができる。
【００５２】
請求項２５記載の発明によれば、既存のデジタルカメラ、パソコン、ハードディスクビデオレコーダー等に読み込ませることにより、本発明の動画再生装置を実現することができる。
【発明を実施するための最良の形態】
【００５３】
以下、本実施の形態について、図面を参照して詳細に説明する。
[実施の形態]
Ａ．デジタルカメラの構成
図１は、本発明の動画再生装置を実現するデジタルカメラ１の電気的な概略構成を示すブロック図である。
デジタルカメラ１は、撮影レンズ２、絞り兼用シャッタ３、ＣＣＤ４、ユニット回路５、ＴＧ（timing generator）６、ＤＲＡＭ７、メモリ８、ＣＰＵ９、画像表示部１０、フラッシュメモリ１１、カードＩ／Ｆ１２、モータ駆動ブロック１４、キー入力部１５、音声処理部１６、ストロボ駆動部１７、ストロボ発光部１８を備えており、カードＩ／Ｆ１２には、図示しないデジタルカメラ１本体のカードスロットに着脱自在に装着されたメモリ・カード１３が接続されている。
【００５４】
撮影レンズ２は、図示しないフォーカスレンズ、ズームレンズを含み、モータ駆動ブロック１４が接続されている。モータ駆動ブロック１４は、図示しないフォーカスレンズ、ズームレンズをそれぞれ光軸方向に駆動させるモータと、ＣＰＵ９からの制御信号にしたがってフォーカスモータ、ズームモータをそれぞれ駆動させるモータドライバから構成されている。
【００５５】
絞り兼用シャッタ３は、図示しない駆動回路を含み、駆動回路はＣＰＵ９から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ４に光を当てる時間を制御する機構のことをいい、ＣＣＤ４に光を当てる時間は、シャッタの開閉の速度（シャッタ速度）によって変わってくる。露出は、この絞りとシャッタ速度によって定めることができる。
【００５６】
ＣＣＤ４は、撮影レンズ２、絞り兼用シャッタ３を介して投影された被写体の光を電気信号に変換し、撮像信号としてユニット回路５に出力する。また、ＣＣＤ４は、ＴＧ６によって生成された所定周波数のタイミング信号にしたがって駆動する。ＴＧ６にはユニット回路５が接続されている。
ユニット回路５は、ＣＣＤ４から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ４の撮像信号は、ユニット回路５を経てデジタル信号としてＣＰＵ９に送られる。
【００５７】
ＣＰＵ９は、ユニット回路５から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００５８】
ＤＲＡＭ７は、ＣＣＤ４によって撮像された後、ＣＰＵ９に送られてきた画像データを一時記憶するバッファメモリとして使用されるとともに、ＣＰＵ９のワーキングメモリとして使用される。
フラッシュメモリ１１やメモリ・カード１３は、ＣＣＤ４によって撮像された画像データなどを保存しておく記録媒体である。なお、本実施例では、画像データの読み込みは、専らフラッシュメモリ１１を用いて説明しているが、ユーザのキー入力部１５の操作により、画像データの読み込みをフラッシュメモリ１１を用いるか、メモリ・カード１３を用いるかを選択することができる。このフラッシュメモリ１１やメモリ・カード１３は、本発明の記録手段に相当する。
【００５９】
画像表示部１０は、カラーＬＣＤとその駆動回路を含み、撮影待機状態にあるときには、ＣＣＤ４によって撮像された被写体をスルー画像として表示し、記録画像の再生時には、保存用フラッシュメモリ１１やメモリ・カード１３から読み出され、伸張された記録画像を表示させる。この画像表示部１０は、本発明の表示手段に相当する。
キー入力部１５は、シャッタボタン、一覧表示キー、チャプター一覧表示キー、十字キー、一覧再生キー、セットキー等の複数の操作キーを含み、ユーザのキー操作に応じた操作信号をＣＰＵ９に出力する。このキー入力部１５は、本発明の第１の選択手段、第２の選択手段、第１の指示手段、第２の指示手段、第３の指示手段、第４の指示手段、第５の指示手段として機能する。
【００６０】
音声処理部１６は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ９に送る。ＣＰＵ９は、送られてきた音声データは、バッファメモリ（ＤＲＡＭ７）に順次記憶され、ＣＣＤ４によって撮像された画像データとともにフラッシュメモリ１１又はメモリ・カード１３に記録される。
また、音声処理部１６は、音声付画像の再生時には、各画像データに付属する音声データに基づく音声等を内蔵スピーカから放音する。
【００６１】
ストロボ駆動部１７は、ＣＰＵ９の制御信号にしたがって、ストロボ発光部１８を閃光駆動させ、ストロボ発光部１８はストロボを閃光させる。ＣＰＵ９は、図示しない測光回路によって撮影シーンが暗いか否かを判断し、撮影シーンが暗いと判断し、且つ、撮影を行うと判断した場合（シャッタボタン押下時）には、ストロボ駆動部１７に制御信号を送る。
【００６２】
Ｂ.以下、本発明の特徴となるＣＰＵ９の機能について説明する。
ユーザがキー入力部１５の一覧表示キーの操作を行うと、キー入力部１５から一覧表示キーの操作に応じた操作信号がＣＰＵ９に送られ、ＣＰＵ９は、この操作信号を受け取ると、フラッシュメモリ１１に記録されている複数の動画像データにそれぞれ対応する静止画像データを画像表示部１０にインデックス一覧表示させる（第１の表示制御手段）。
この動画データに対応する静止画像データとは、動画データの中のある１つの動画フレームデータ（例えば、動画データの最初の動画フレームデータ）の画像を縮小し（生成手段）、該縮小して得られた画像データ、または、動画データに関連付けられて記録されているサムネイル画像データのことをいう。
【００６３】
このとき、ユーザがキー入力部１５の十字キーの操作により画像表示部１０にインデックス一覧表示された静止画像データのうち任意の静止画像データの選択を行うことができ、ＣＰＵ９は、キー入力部１５から十字キーの操作に対応する操作信号が送られてくると、静止画像データ（動画データ）の選択を行うと判断し、送られてきた操作信号にしたがって、静止画像データの選択を行う。このとき、選択した静止画像データに対応する動画データの選択も行う。
【００６４】
また、ユーザのキー入力部１５の十字キーの操作により静止画像データの選択の変更を行うことができ、ＣＰＵ９は、キー入力部１５から十字キーの操作に対応する操作信号が送られてきた場合には静止画像データ（動画データ）の選択の変更を行うと判断し、送られてきた操作信号にしたがって、新たに静止画像データの選択を行う。このとき、新たに選択した静止画像データに対応する動画データの選択も行う。
【００６５】
ＣＰＵ９は、動画データの選択を行うと、画像表示部１０に静止画像データのインデックス一覧表示を行っている状態で、該選択した動画データの再生処理を行うか否かを判断する。この判断は、ユーザのキー入力部１５の一覧再生キーの操作に対応する操作信号が、キー入力部１５から送られてきたか否かを判断し、送られてきた場合には再生処理を行うと判断する。
ＣＰＵ９は、インデックス一覧表示を行っている状態で、該選択した動画データの再生処理を行うと判断すると、画像表示部１０に動画データにそれぞれ対応する静止画像データのインデックス一覧表示を行っている状態で、該選択した動画データの再生表示を行う（第１の動画再生手段）。このとき、該選択した静止画像データ（選択した動画データに対応する静止画像データ）が画像表示部１０に表示されていた場所、位置に、該選択した動画データの再生表示を行う。また、このときの動画データの再生表示は、動画データの動画フレームデータの画像を縮小して画像表示部１０に表示させる。このとき、インデックス一覧表示されている静止画像データの画像の大きさと同じとなるように動画フレームデータの画像を縮小させる。
【００６６】
また、ＣＰＵ９は、動画データの選択を行うと、動画データのチャプター画像を画像表示部１０に一覧表示させるか否かを判断する。この判断は、キー入力部１５からチャプター一覧表示キーの操作に対応する操作信号が送られてきたか否かにより判断し、送られてきた場合には動画データのチャプター画像を画像表示部１０に一覧表示させると判断する。
【００６７】
ＣＰＵ９は、動画データのチャプター画像の一覧表示を行うと判断すると、該選択した動画データのチャプター画像を画像表示部１０に一覧表示させる（第２の表示制御手段）。チャプター画像とは、１つの動画データが複数のチャプターに区切られ、該区切られたそれぞれのチャプターに対応する動画データの中で最初の動画フレームデータの画像のことをいう。
ここで、この動画データのチャプターはユーザが任意に区切ったものでもよいし、自動的に区切られたものであってもよい。
【００６８】
図２は、複数のチャプターに区切られた動画データの様子を示すものである。
図２を見ると、この動画データは、チャプター１からチャプター５まで区切られているのがわかる。また、この動画データのチャプター画像とは、この動画データの中で、各チャプターに対応する動画データの中で最初の動画フレームデータの画像のことをいうので、ここでは、動画フレームデータ２１、動画フレームデータ２２、動画フレームデータ２３、動画フレームデータ２４、動画フレームデータ２５のそれぞれの画像がチャプター画像ということになる。
【００６９】
ここで、ユーザは十字キーの操作により、画像表示部１０に一覧表示されたチャプター画像のうち任意のチャプター画像の選択を行うことができ、ＣＰＵ９は、キー入力部１５から十字キーに対応する操作信号が送られてきた場合には、チャプター画像の選択を行うと判断し、送られてきた操作信号にしたがってチャプター画像の選択を行う。このとき、チャプター画像の属するチャプターの選択も行う。
【００７０】
また、ユーザのキー入力部１５の十字キーの操作によりチャプター画像（チャプター）の選択の変更を行うことができ、ＣＰＵ９は、キー入力部１５から十字キーの操作に対応する操作信号が送られてきた場合にはチャプター画像（チャプター）の選択の変更を行うと判断し、送られてきた操作信号にしたがって、新たにチャプター画像の選択を行う。このとき、新たに選択したチャプター画像に対応するチャプターの選択も行う。
ここで、チャプター画像の属するチャプターとは、例えば、図２を用いて説明すると、動画フレームデータ２１の属するチャプターはチャプター１となり、動画フレームデータ２２の属するチャプターはチャプター２ということになる。
【００７１】
ＣＰＵ９は、チャプターの選択を行うと、画像表示部１０にチャプター画像の一覧表示を行っている状態で、該選択したチャプターに対応する動画データの再生処理を行うか否かを判断する。この判断は、ユーザのキー入力部１５の一覧再生キーの操作に対応する操作信号が、キー入力部１５から送られてきたか否かを判断し、送られてきた場合には再生処理を行うと判断する。
ＣＰＵ９は、チャプター一覧表示を行っている状態で、該選択したチャプターに対応する動画データの再生処理を行うと判断すると、画像表示部１０にチャプター画像の一覧表示を行っている状態で、該選択したチャプターに対応する動画データの再生表示を行う（第２の動画再生手段）。このとき、該選択したチャプター画像が画像表示部１０に表示されていた場所、位置に、該選択したチャプターに対応する動画データの再生表示を行う。
このときの動画データの再生表示は、チャプターに対応する動画データの動画フレームデータの画像を縮小して、画像表示部１０に表示させる。このとき、一覧表示されているチャプター画像の大きさと同じとなるように動画フレームデータの画像を縮小させる。
【００７２】
また、ＣＰＵ９は、キー入力部１５から実行キーの操作に対応する操作信号が送られてきた場合には、該選択している動画データの通常の再生処理を行う（第３の動画再生手段）。つまり、チャプター画像が一覧表示されているときや、動画データに対応する静止画像データのインデックス一覧表示が行われている状態で動画データが選択されている状態で、実行キーの操作に対応する操作信号を受け取ると、該チャプター一覧表示されている動画データや、インデックス一覧表示状態で選択されている動画データの通常の再生処理を行う。
この通常の再生処理とは、選択されている動画データのみを画像表示部１０に表示させて再生表示させることをいう。
【００７３】
メモリ８には、ＣＰＵ９によるデジタルカメラ1の各部の制御に必要なプログラム、及び各部の制御に必要なデータが記録されており、ＣＰＵ９は、このプログラムにしたがって処理を行うことにより本発明の動画再生装置として機能する。
【００７４】
Ｃ．デジタルカメラ１の動作
第１の実施の形態におけるデジタルカメラ１の動作を図３乃至図５のフローチャートにしたがって説明する。
まず、ステップＳ１で、動画データの一覧表示を行うか否かを判断する。この判断は、キー入力部１５の一覧表示キーの操作に対応する操作信号がキー入力部１５から送られてきたか否かにより判断する。
【００７５】
動画データの一覧表示を行うと判断すると、フラッシュメモリ１１に記録されている複数の動画データにそれぞれ対応する静止画像データを画像表示部１０にインデックス一覧表示させる（ステップＳ２）。動画データに対応する静止画像データとは、動画データの中のある１つの動画フレームデータを縮小し、該縮小して得られた画像データ、又は、動画データに関連付けられて記録されているサムネイル画像データのことをいう。
動画データの中のある１つの動画フレームデータとは、例えば、動画データの最初の動画フレームデータであってもよいし、又は、ユーザによって任意に選ばれた動画フレームデータであってもよい。
【００７６】
図６は、動画データに対応する静止画像データのインデックス一覧表示を行ったときの、画像表示部１０の画面の様子を示すものである。
図６を見ると、画像表示部１０には、八つの静止画像データがインデックス一覧表示されており、それぞれの静止画像データに番号が付されているのがわかる。この番号は、フラッシュメモリ１１に記録されている動画データの中で、何番目に記録された動画データであるかを示している。つまり、フラッシュメモリ１１に記録されている動画データの中で、一番最初に記録された動画データ（以下、動画データ１）に対応する静止画像データは「１」であり、８番目に記録された動画データ（以下、動画データ８）に対応する静止画像データは「８」である。なお、ここでは、フラッシュメモリ１１には、８つの動画データが記録されているものとする。
【００７７】
ステップＳ２で、フラッシュメモリ１１に記録されている複数の動画データに対応する静止画像データのインデックス一覧表示を行うと、動画データの選択を行うか否かを判断する（ステップＳ３）。この判断は、ユーザの十字キーの操作に対応する操作信号が、キー入力部１５から送られてきたか否かにより判断し、送られてきた場合には、動画データの選択を行うと判断する。なお、ステップＳ３の判断処理を省略して、インデックス一覧表示を行う際に所定位置の動画データを自動的に選択するように構成してもよい。
ステップＳ３で、動画データの選択を行うと判断すると、つまり、ユーザの十字キーの操作にしたがって、動画データの選択を行う（ステップＳ４）。
【００７８】
ここで、ユーザは図６に示すような画像表示部１０の画面を見ながら、キー入力部１５の十字キーを操作することにより動画データの選択を行うことができる。
まず、ユーザが十字キーの「↑」、「↓」、「←」、「→」のいずれかのキーを操作すると、まず、動画データ１が選択された状態となる。このとき、動画データを選択すると選択された動画データであることをユーザに認識させるため、選択した動画データに対応する静止画像データは、太線で囲まれた状態となる。そして、ユーザが十字キーの「→」を操作すると、選択される静止画像データ（動画データ）が、静止画像データ１（動画データ１）から静止画像データ２（動画データ２）、静止画像データ３（動画データ３）というように切り替わる。
【００７９】
また、ユーザが十字キーの「↓」の操作を、静止画像データ１（動画データ１）が選択されている状態で行うと、静止画像データ１（動画データ１）から静止画像データ（動画データ５）が選択される状態へと切り替わる。このようにして、十字キーを操作することによりユーザは、動画データの選択を行うことができる。
図６を見ると、静止画像データ５の静止画像が太線で囲まれているので、現在静止画像データ５に対応する動画データ５が選択されている状態であることがわかる。
【００８０】
ステップＳ４で、動画データの選択を行うと、動画データのインデックス一覧表示を行っている状態で、ステップＳ４で選択された動画データの再生処理を行うか否かを判断する（ステップＳ５）。この判断は、キー入力部１５から一覧再生キーの操作に対応する操作信号が送られてきたか否かにより判断し、送られてきた場合には、インデックス一覧表示をしている状態で、選択した動画データの再生処理を行うと判断する。
【００８１】
ステップＳ５で、動画データのインデックス一覧表示を行っている状態で、選択された動画データの再生処理を行わないと判断するとステップＳ７に進む。
一方、ステップＳ５で、動画データのインデックス一覧表示を行っている状態で、選択された動画データの再生処理を行うと判断すると、動画データのインデックス一覧表示を行っている状態で、ステップＳ４で選択された動画データの再生処理の開始を行って（ステップＳ６）、ステップＳ７に進む。このとき、動画データのインデックス一覧表示を行っている状態で、既に動画データの再生処理が行われている場合には、再生している動画データの再生処理を禁止して、現在選択されている動画データの再生処理を開始する。
【００８２】
例えば、ユーザが図５に示した状態で（動画データ５を選択した状態で）、一覧再生キーの操作を行うと、選択されている静止画像データ５に対応する動画データの動画再生処理を、静止画像５が表示された場所で行う。つまり、静止画像データ５の部分だけが動画再生される。また、インデックス一覧表示を行っている状態で、動画データ５を再生しているときに、静止画像データ６を選択し、一覧再生キーの操作を行うと、動画データ５の再生処理を禁止して、選択されている静止画像データ６の部分だけが動画再生させる。
【００８３】
このとき、動画データの再生方法としては、選択された動画データをチャプター毎にスキップさせながら所定時間、動画再生させるようにする。具体的に説明すると、選択された動画データの１番目のチャプターから動画再生を所定時間（例えば、１０秒等）行うと、次のチャプターにスキップして再生を行い、また、所定時間経過すると、次のチャプターにスキップして所定時間再生を行うことをいう。ここで、動画データの各チャプターは、ユーザが任意に区切ったものでもよいし、自動的に設定、又は、予め区切られたものであってもよい。もちろんこのときの動画再生は、縮小された動画データの動画フレームデータが表示されることになる。
【００８４】
なお、該選択された動画データの再生処理をスキップさせずに最初から順番に表示させるようにしてもよいし、チャプターを区切りとせずに普通に動画データをスキップさせるようにしてもよい（例えば、１５秒表示させたら、所定時間間隔でスキップして、１５秒表示させたら、また、所定時間間隔でスキップさせるというようにする）。
【００８５】
図７は、選択された動画データ５の再生処理を行ってから、ある時間が経過した後の画像表示部１０の様子を示すものである。この図７と図６を見比べると、静止画像データ５の場所以外の静止画像はすべて同じであるのに対し、静止画像データ５のところは、動画再生を行っているので、時間と伴に表示される画像は違うことがわかる。これにより、ユーザは、動画データのインデックス一覧表示を行っている状態であっても、選択した動画データの中身、内容を知ることができ、自分が探している動画データであるか否かを簡単に見分けることが可能となる。
【００８６】
ここで、インデックス一覧表示がされている状態で、選択された動画データの再生処理が終了すると（動画データの最後の動画フレームデータまで表示すると）、最初から動画データの再生処理を繰り返す。なお、選択された動画データの再生処理が終了した場合には、次の動画データを再生するようにしてもよい。例えば、動画データ５の再生が終了した場合には、動画データ６の再生処理を開始する。この際には動画データ６が選択されている状態に切り替わる。
【００８７】
ステップＳ７に進むと、該選択されている動画データのチャプターの一覧を表示させるか否かを判断する。この判断は、ユーザのキー入力部１５のチャプター一覧表示キーの操作に対応する操作信号がキー入力部１５から送られてきたか否かにより判断し、送られてきた場合はチャプター一覧表示を行うと判断する。
ステップＳ７で、チャプター一覧表示を行わないと判断すると、該選択されている動画データの通常の再生処理を行うか否かを判断する（図４のステップＳ８）。この通常の再生処理とは、静止画像のインデックス一覧を表示させた状態での選択した動画データの動画再生処理とは違い、該選択された動画データのみを画像表示部１０に表示させて再生することをいう。この選択された動画データの通常の再生処理を行うか否かの判断は、ユーザのキー入力部１５のセットキーの操作に対応する操作信号がキー入力部１５から送られてきたか否かにより判断する。
【００８８】
ステップＳ８で、選択されている動画データの通常の再生処理を行うと判断すると、該選択されている動画データが、動画データのインデックス一覧表示を行っている状態で再生されているか否かを判断する（ステップＳ９）
ステップＳ９で、ステップＳ４で選択された動画データが、動画データのインデックス一覧表示を行っている状態で再生されていないと判断すると、ステップＳ４で選択された動画データの通常の再生処理を初めから行う（ステップＳ１０）。つまり、選択された動画データの最初の動画フレームデータから通常の再生処理を行う。
【００８９】
一方、ステップＳ９で、ステップＳ４で選択された動画データが、動画データのインデックス一覧表示を行っている状態で再生されていると判断すると、動画データの途中から通常の再生処理を行う（ステップＳ１１）。つまり、選択された動画データのうち、インデックス一覧表示で再生されていない動画フレームデータから通常の再生処理を行う。具体的に説明すると、例えば、図２の動画データの動画フレームデータ２６までの動画フレームデータを、インデックス一覧表示状態で再生した場合には、動画フレームデータ２６からの動画フレームデータを通常の再生処理により再生する。これにより、ユーザはインデックス一覧表示で再生された場面を、通常の再生処理で再び見るという煩わしさがなくなる。
【００９０】
なお、インデックス一覧表示で再生していたチャプターから、動画データの通常の再生処理を行うようにしてもよい。例えば、インデックス一覧表示において選択された動画データの中のチャプター３に対応する動画データを再生しているときに、ユーザのセットキーの操作が行われた場合は、チャプター３から通常の動画再生処理を行うようにする。
【００９１】
一方、ステップＳ８で、選択されている動画データの通常の再生処理を行わないと判断すると、動画データの選択の変更を行うか否かを判断する（ステップＳ１２）。この判断は、ユーザのキー入力部１５の十字キーの操作に対応する操作信号が送られてきたか否かにより判断する。
例えば、ユーザが、図６又は図７に示すような状態で、静止画像データ５を選択して、静止画像データ５に対応する動画データを再生して見て、自分が探している動画データでないと思った場合などに、十字キーの操作により静止画像データ（動画データ）の選択を変更した場合は、動画データの選択変更を行うと判断する。
ステップＳ１２で、動画データの選択変更を行わないと判断すると、ステップＳ５に戻り、動画データの選択変更を行うと判断すると、ステップＳ４に進み、ユーザのキー操作にしたがって新たな動画データの選択を行う。
【００９２】
一方、ステップＳ７で、チャプター一覧表示を行うと判断すると、現在選択されている動画データのチャプター画像の一覧を画像表示部１０に表示させる。（ステップＳ１３）。チャプター画像とは、１つの動画データが複数のチャプターに区切られ、該区切られたそれぞれのチャプターに対応する動画データの中で最初の動画フレームデータの画像のことをいう。このときも、チャプター画像の一覧表示においては、チャプター画像に対応する動画フレームデータの画像が縮小されて画像表示部１０に一覧表示される。ここでは、ユーザが静止画像データ５を選択している状態で、キー入力部１５のチャプター一覧表示キーのキー操作を行ったものとする。
【００９３】
図８は、動画データのチャプターの一覧表示を行ったときの、画像表示部１０の画面の様子を示すものである。
図８を見るとわかるように、画像表示部１０には、静止画像データ５に対応する動画データのチャプター画像が一覧表示されているのがわかる。ここでは、静止画像データ５に対応する動画データは、チャプター１〜チャプター８までに分けられているものとする。
ステップＳ１３で、選択された動画データのチャプター一覧表示を行うと、チャプターの選択を行うか否かを判断する（ステップＳ１４）。この判断は、ユーザの十字キーの操作に対応する操作信号が、キー入力部１５から送られてきたか否かにより判断し、送られてきた場合にはチャプターの選択を行うと判断する。
【００９４】
ここで、ユーザは、図８に示すような画像表示部１０の画面を見ながら、動画データの選択と同じように、キー入力部１５の十字キーの操作することによりチャプター画像（チャプター）の選択を行うことができる。
ステップＳ１４で、チャプターの選択を行わないと判断した場合はステップＳ１８に進み、チャプターの選択を行うと判断した場合、つまり、ユーザのキー入力部１５の十字キーの操作が行われた場合は（ステップＳ１４でＹに分岐）、ユーザの十字キーの操作によって選択されたチャプター画像の属するチャプターの選択を行う（ステップＳ１５）。
なお、ステップＳ１４の判断処理を省略して、チャプター一覧表示を行う際に所定位置のチャプター画像を自動的に選択するように構成してもよい。
【００９５】
ステップＳ１５で、チャプターの選択を行うと、動画データのチャプター一覧表示を行っている状態で、ステップＳ１５で選択されたチャプターに対応する動画データの再生処理を行うか否かを判断する（ステップＳ１６）。この判断は、キー入力部１５から一覧再生キーの操作に対応する操作信号が送られてきたか否かにより判断し、送られてきた場合には、チャプター一覧表示をしている状態で、選択したチャプターに対応する動画データの再生処理を行うと判断する。
ステップＳ１６で、動画データのチャプター一覧表示を行っている状態で、選択されたチャプターに対応する動画データの再生処理を行わないと判断するとステップＳ１８に進む。
【００９６】
一方、ステップＳ１６で、動画データのチャプター一覧表示を行っている状態で、選択されたチャプターに対応する動画データの再生処理を行うと判断すると、動画データのチャプター一覧表示を行っている状態で、ステップＳ１５選択されたチャプターに対応する動画データの再生処理の開始を行って（ステップＳ１７）、ステップＳ１８に進む。このとき、動画データのチャプター一覧表示を行っている状態で、既にチャプターに対応する動画データの再生処理が行われている場合には、再生しているチャプターに対応する動画データの再生処理を禁止して、現在選択されているチャプターに対応する動画データの再生処理を開始する。
【００９７】
例えば、チャプター画像４を選択された状態で、ユーザが一覧再生キーの操作を行った場合には、図８に示すようなチャプター一覧表示を行っている状態で、チャプター画像４の属するチャプター（以下、チャプター４）に対応する動画データの動画再生処理を、チャプター画像４が表示された場所で行う。つまり、チャプター４以外のチャプターは静止画像で表示されているのに対し、チャプター４の部分だけが動画で表示される。また、チャプター一覧表示を行っている状態で、チャプター４に対応する動画データを再生しているときに、チャプター画像５を選択し、一覧再生キーの操作を行うと、チャプター４に対応する動画データの再生処理を禁止して、選択されたチャプター５の部分だけが動画で表示される。
【００９８】
このとき、チャプターの再生方法としては、選択されたチャプターに対応する動画データをスキップさせながら表示させるようにする。例えば、選択されたチャプターに対応する動画データの最初の動画フレームから２００番目の動画フレームまで表示させたら、動画フレームを３００フレームスキップさせて、５０１番目の動画フレームから７００番目の動画フレームまで表示させるというように、所定間隔毎にスキップさせて表示させるようにする。もちろんこのときの動画再生は、チャプターに対応する動画データの動画フレームデータの画像が縮小されて表示されることになる。
なお、１０秒間表示させたら、次の２０秒間はスキップさせるというように所定時間間隔でスキップさせるにしてもよい。
【００９９】
これにより、ユーザは、チャプター一覧表示を行っている状態で、選択したチャプターの中身、内容を詳細に知ることができ、自分が探している動画データであるか否かを簡単に見分けることができる。また、自分が見たいシーンがどこのチャプターにあるのかを簡単に探すことができる。
なお、ステップＳ１７において、選択したチャプターに対応する動画データの最後の動画フレームデータまで再生した場合、つまり、チャプターに対応する動画データの再生が終了した場合には、該再生が終了した動画データの再生を繰り返すようにしてもよいし、次のチャプターに対応する動画データの再生を行うようにしてもよい。
【０１００】
ステップＳ１８に進むと、現在選択されている動画データの通常の再生処理を行うか否かを判断する。この判断は、ユーザのキー入力部１５のセットキーの操作に対応する操作信号が、キー入力部１５から送られてきたか否かにより判断する。
ステップＳ１８で、通常の動画再生処理を行うと判断すると、動画データのチャプターが選択されているか否かを判断する（ステップＳ１９）。
ステップＳ１９で、チャプターが選択されていないと判断すると、ステップＳ４で選択された動画データの最初から通常の再生処理を行う（ステップＳ２０）。つまり、選択された動画データの最初の動画フレームデータから通常の再生処理を行う。
【０１０１】
一方、ステップＳ１９で、チャプターが選択されていると判断すると、ステップＳ２１に進み、動画データのチャプター一覧表示を行っている状態で、ステップＳ１５で選択されたチャプターに対応する動画データの再生処理が行われているか否かを判断する（ステップＳ２１）。
ステップＳ２１で、選択されたチャプターに対応する動画データが再生中でないと判断すると、ステップＳ４で選択された動画データのうち、ステップＳ１５で選択されたチャプターに対応する動画データから通常の動画再生処理を行う（ステップＳ２２）。
【０１０２】
一方、ステップＳ２１で、選択されたチャプターに対応する動画データが再生中であると判断すると、選択されたチャプターに対応する動画データの途中からから通常の動画再生処理を行う（ステップＳ２３）。具体的に説明すると、例えば、図２に示すような動画データのチャプター３に対応する動画データが、チャプター一覧表示が行われている状態で再生を行っているときに、ユーザによりセットキーの操作があると、そのセットキーの操作の際にチャプター３の動画フレームデータ２６が画像表示部１０に表示されている場合には、図２の動画データの中で、動画フレームデータ２６からあとの動画フレームデータが通常の再生処理により再生されることとなる。
これにより、自分が見たいシーンを簡単、且つ、迅速に探すことができ、そのシーンから動画を見ることができる。例えば、映画などこのシーンから映画を見てみたいと思う場合や、この場面をもう一度見たいというときでも、その場面から映画などを見ることができ、手間がかからない。
【０１０３】
一方、ステップＳ１８で、通常の再生処理を行わないと判断すると、他の動画データの選択を行うか否かを判断する（ステップＳ２４）。この判断は、ユーザのキー入力部１５の一覧表示キーの操作に対応する操作信号が、キー入力部１５から送られてきたか否かにより判断し、送られてきた場合には動画データの選択を行うと判断する。
ステップＳ２４で、他の動画データの選択を行うと判断すると、ステップＳ２に戻って、動画データに対応する静止画像データのインデックス一覧表示を行い、他の動画データの選択を行わないと判断すると、チャプターの選択変更を行うか否かを判断する（ステップＳ２５）。このチャプターの選択変更を行うか否かの判断は、ユーザのキー入力部１５の十字キーの操作に対応する操作信号がキー入力部１５から送られてきたか否かにより判断する。
【０１０４】
例えば、図８に示すような状態で、チャプター４を再生してみて、自分が探しているシーンがないと思った場合などに、十字キーの操作によりチャプターの選択変更の操作が行われた場合は、チャプターの選択変更を行うと判断する。
ステップＳ２５で、チャプターの選択変更を行わないと判断すると、ステップＳ１６に戻り、チャプターの選択変更を行うと判断すると、ステップＳ１５に戻り、ユーザの十字キーの操作によって新たに選択されたチャプターの選択を行う。
【０１０５】
Ｄ．以上のように、実施の形態においては、ユーザにより一覧表示キーの操作が行われると、フラッシュメモリ１１に記録されている動画データに対応する静止画像データのインデックス一覧表示を行い、ユーザによって動画データの選択が行われ、且つ、チャプター一覧表示キーの操作が行われると、該選択した動画データのチャプター画像の一覧表示を行うので、動画データの中身、内容を簡単に知ることができ、自分が探している動画データであるか否かを簡単に見分けることができる。
【０１０６】
また、動画データの静止画インデックス一覧表示を行っているときに、動画データの選択し、一覧再生キーの操作を行うと、インデックス一覧表示を行っている状態で、該選択した動画データの再生処理を行うので、インデックス一覧表示を行っている状態であっても、選択した動画データの中身、内容を簡単に知ることができる。
また、チャプター画像の一覧表示を行っているときに、チャプターの選択し、一覧再生キーの操作を行うと、チャプター一覧表示を行っている状態で、該選択したチャプターに対応する動画データの再生処理を行うので、選択した動画データの中身、内容を詳細に知ることができる。また、自分が見たいシーンがどこのチャプターにあるのかを簡単に探すことができる。
【０１０７】
なお、実施の形態においては、インデックス一覧表示やチャプター一覧表示が行われているときに、十字キーの操作により動画データやチャプターを選択し、一覧再生キーの操作が行われると、インデックス一覧表示やチャプター一覧表示を行っている状態で、該選択された動画データやチャプターの動画再生処理を行うようにしたが、十字キーの操作により動画データやチャプターが選択された場合は、そのまま、インデックス一覧表示やチャプター一覧表示を行っている状態で、該選択された動画データやチャプターの再生処理を行うようにしてもよい。
【０１０８】
また、図３のステップＳ７でチャプターの一覧表示を行うと判断すると、ステップＳ４で選択された動画データのチャプター画像の一覧表示を行い（ステップＳ１３）、一覧再生キーの操作を行うと（ステップＳ１６）、ステップＳ１５で選択されている動画データの再生処理を、チャプター画像を一覧表示している状態で行うようにしたが（ステップＳ１７）、ステップＳ１３でチャプター一覧表示させる動画データが、既に動画データのインデックス一覧表示状態で、動画データの再生処理が行われている場合には、該動画データのチャプター一覧表示を行い、該動画データのうち、インデックス一覧表示で再生されていない動画フレームデータから、又は該動画フレームデータに対応するチャプターから自動的に再生するようにしてもよい。この場合には、再生する動画フレームデータが属するチャプターが選択されている状態となる。
【０１０９】
具体的に説明すると、例えば、動画データのインデックス一覧表示状態で、図６に示すように静止画像データ５に対応する動画データが再生されていたとする。そして、該動画データの４番目のチャプターに対応する部分が再生されているときに、チャプター一覧表示キーの操作が行われた場合には、画像表示部１０には、図８に示すような動画データのチャプター画像が表示され、インデックス一覧表示状態で再生されていた４番目のチャプター（チャプター画像４）が選択され、４番目のチャプターに対応する動画データが再生されている状態となる。
また、チャプター一覧表示が行われた場合は、チャプター一覧表示を行い、自動的に最初のチャプターを選択して再生するようにしてもよい。
【０１１０】
また、上記実施の形態における動画再生装置は、上記の実施の形態に限定されるものではなく、携帯電話、ＰＤＡ、パソコン、又はデジタルビデオカメラ、ハードディスクビデオレコーダー、ＤＶＤビデオレコーダー等でもよく、要は動画を再生することができる機器であれば何でもよい。
【図面の簡単な説明】
【０１１１】
【図１】本発明の実施の形態のデジタルカメラのブロック図である。
【図２】複数のチャプターに区切られた動画データの様子を示す図である。
【図３】実施の形態のデジタルカメラの動作を示すフローチャートである。
【図４】実施の形態のデジタルカメラの動作を示すフローチャートである。
【図５】実施の形態のデジタルカメラの動作を示すフローチャートである。
【図６】インデックス一覧表示を行ったときの、画像表示部１０の画面の様子を示すものである
【図７】インデックス一覧表示時での動画再生を行っている状態で、ある時間が経過した後の画像表示部１０の様子を示す図である。
【図８】動画データのチャプターの一覧表示を行ったときの、画像表示部１０の画面の様子を示す図である。
【符号の説明】
【０１１２】
１      デジタルカメラ
２      撮影レンズ
３      絞り兼用シャッタ
４      ＣＣＤ
５      ユニット回路
６      ＴＧ
７      ＤＲＡＭ
８      メモリ
９      ＣＰＵ
１０    画像表示部
１１    フラッシュメモリ
１２    カードＩ／Ｆ
１３    メモリ・カード
１４    モータ駆動ブロック
１５    キー入力部
１６    音声処理部
１７    ストロボ駆動部
１８    ストロボ発光部
【図１】
2006165679.tif 000003
【図２】
2006165679.tif 000004
【図３】
2006165679.tif 000005
【図４】
2006165679.tif 000006
【図５】
2006165679.tif 000007
【図６】
2006165679.tif 000008
【図７】
2006165679.tif 000009
【図８】
2006165679.tif 000010